(57)【要約】【課題】汎用性の高い通信ユニットを備える照明装置等を提供する。【解決手段】照明装置は、複数個の発光素子を備える光源ユニット５０と、光源ユニット５０を点灯させる点灯回路ユニット５１と、制御情報を受信して点灯回路ユニット５１に点灯情報を伝達する通信ユニット５２と、光源ユニット５０、点灯回路ユニット５１及び通信ユニット５２を搭載するベース５５１とを備え、通信ユニット５２はベース５５１に対して装着位置を変動可能に装着されている。【選択図】図１５
2018206492.tif 000002
【特許請求の範囲】
【請求項１】
複数個の発光素子を備える光源ユニットと、
前記光源ユニットを点灯させる点灯回路ユニットと、
制御情報を受信して前記点灯回路ユニットに点灯情報を伝達する通信ユニットと、
前記光源ユニット、前記点灯回路ユニット及び前記通信ユニットを搭載するベースと
を備え、
前記通信ユニットは前記ベースに対して装着位置を変動可能に装着されている
照明装置。
【請求項２】
前記通信ユニットは前記ベースに装着される装着部を複数個有する
請求項１に記載の照明装置。
【請求項３】
前記光源ユニットは前記ベースの表面に搭載され、
前記点灯回路ユニットと前記通信ユニットとは前記ベースの裏面に搭載され、
表側から前記ベースを投影状態で見た際に、前記通信ユニットは少なくとも一部が前記光源ユニットと重ならない状態で装着されている
請求項１又は２に記載の照明装置。
【請求項４】
前記光源ユニットは長尺状をし、
前記通信ユニットの装着位置の変動方向は前記光源ユニットの短手方向である
請求項１〜３の何れか１項に記載の照明装置。
【請求項５】
複数台の照明装置と、前記複数台の照明装置の点灯を制御する照明制御装置とを備える照明システムであって、
前記複数台の照明装置は請求項１〜４の何れか１項の照明装置であり、
前記通信ユニットは前記照明制御装置側から前記制御情報を受信する
照明システム。
【発明の詳細な説明】
【技術分野】
【０００１】
本発明は無線通信可能な照明装置及び当該照明装置を備える照明システムに関する。
【背景技術】
【０００２】
近年、複数台の照明装置を照明制御装置によって統合制御する照明システムが提案されている（例えば特許文献１）。なお、このような照明システムでは、例えば、ある程度の広さを有する部屋に複数台の照明器具（照明装置）が設置されている場合に用いることができる。
【０００３】
特許文献１に記載の照明器具は、器具設置部材と、光源ユニットとを備えている。光源ユニットは、取付部材と、光源基板と、光源カバーと、端部カバーと、点灯装置と、照明用通信ユニットと、を備えており、これらが一体化されたものである。照明用通信ユニットは、無線通信回路モジュールが設けられた回路基板と、回路基板を収納し取付部材または器具設置部材に対して嵌め込まれたケースと、を備える。ケースは、嵌合ツメを備える。嵌合ツメが取付部材の側板部に設けられた嵌合凹部に引っ掛かることで、ケースを取付部材に嵌め込み固定することができる。
なお、特許文献１の照明器具は明細書中の「照明装置」に相当し、器具設置部材は明細書中の「器具」に相当し、光源ユニットは明細書中の「灯具」に相当し、照明用通信ユニットは明細書中の「通信ユニット」に相当し、取付部材は明細書中の「灯具側ベース」に相当する。以下、明細書の用語を利用する。
【先行技術文献】
【特許文献】
【０００４】
【特許文献１】特開２０１７−６３０１０号公報
【発明の概要】
【発明が解決しようとする課題】
【０００５】
特許文献１に記載の照明装置における通信ユニットは一つの態様の器具側ベースに対応しており、光出力（光束）の異なる複数種類の灯具（器具側ベース）に対応できないという課題がある。
本発明は、このような事情に鑑みてなされたものであって、汎用性の高い通信ユニットを備える照明装置及び照明システムを提供することを目的とする。
【課題を解決するための手段】
【０００６】
上記課題を解決するために、本発明の一態様に係る照明装置は、複数個の発光素子を備える光源ユニットと、前記光源ユニットを点灯させる点灯回路ユニットと、制御情報を受信して前記点灯回路ユニットに点灯情報を伝達する通信ユニットと、前記光源ユニット、前記点灯回路ユニット及び前記通信ユニットを搭載するベースとを備え、前記通信ユニットは前記ベースに対して装着位置を変動可能に装着されている。
上記課題を解決するために、本発明の一態様に係る照明システムは、複数台の照明装置と、前記複数台の照明装置の点灯を制御する照明制御装置とを備える照明システムであって、前記複数台の照明装置は上記の照明装置であり、前記通信ユニットは前記照明制御装置側から前記制御情報を受信する。
【発明の効果】
【０００７】
本発明によれば、通信ユニットは複数種類の筐体に装着でき、汎用性の高い通信ユニットを備える照明装置や照明システムを提供できる。
【図面の簡単な説明】
【０００８】
【図１】本実施形態に係る照明システムを示す概略図である。
【図２】本実施形態の照明装置を示す斜視図であり、（ａ）は表側から見た図であり、（ｂ）は裏側から見た図である。
【図３】照明装置の横断面図である。
【図４】器具の縦断面状態を表側から見た斜視図である。
【図５】灯具を裏側から見た斜視図である。
【図６】灯具の分解状態を表側から見た斜視図である。
【図７】灯具の分解状態を裏側から見た斜視図である。
【図８】灯具の横断面図である。
【図９】点灯回路ユニット周辺を拡大した灯具の縦断面図である。
【図１０】点灯回路ユニット及び通信ユニットのブロック図である。
【図１１】通信ユニットを示す斜視図であり、（ａ）は表側から見た図であり、（ｂ）は裏側から見た図である。
【図１２】通信ユニットの分解状態を表側から見た斜視図である。
【図１３】通信ユニットの分解状態を裏側から見た斜視図である。
【図１４】通信ユニットの横断面図である。
【図１５】通信ユニットの装着部分が分かるように切断した状態を表側から見た斜視図である。
【図１６】通信制御部のフローチャートである。
【図１７】通信ユニットの装着状態を説明する図である。
【発明を実施するための形態】
【０００９】
＜概要＞
一態様に係る照明装置は、複数個の発光素子を備える光源ユニットと、前記光源ユニットを点灯させる点灯回路ユニットと、制御情報を受信して前記点灯回路ユニットに点灯情報を伝達する通信ユニットと、前記光源ユニット、前記点灯回路ユニット及び前記通信ユニットを搭載するベースとを備え、前記通信ユニットは前記ベースに対して装着位置を変動可能に装着されている。
別態様に係る照明装置において、前記通信ユニットは前記ベースに装着される装着部を複数個有する。これにより、容易に通信ユニットをベースに対して変動可能に装着できる。
別態様に係る照明装置において、前記光源ユニットは前記ベースの表面に搭載され、前記点灯回路ユニットと前記通信ユニットとは前記ベースの裏面に搭載され、表側から前記ベースを投影状態で見た際に、前記通信ユニットは少なくとも一部が前記光源ユニットと重ならない状態で装着されている。これにより重ならない位置にアンテナを配することができ、高感度の照明装置が得られる。
別態様に係る照明装置において、前記光源ユニットは長尺状をし、前記通信ユニットの装着位置の変動方向は前記光源ユニットの短手方向である。これにより、表側からベースを投影状態で見た際に通信ユニットと光源ユニットとが重ならない状態に容易にできる。
一態様に係る照明システムは、複数台の照明装置と、前記複数台の照明装置の点灯を制御する照明制御装置とを備える照明システムであって、前記複数台の照明装置は上記の何れかの照明装置であり、前記通信ユニットは前記照明制御装置側から前記制御情報を受信する。
【００１０】
<実施形態＞
１．照明システム及び照明装置の全体構成
主に図１〜図３を用いて説明する。
照明システム８は、複数台の照明装置１と照明制御装置７とから構成される。ここでの照明装置１は、図１に示すように、例えば１２台あり、１２台の照明装置１の点灯、消灯、調光等（以下、単に「点灯等」ともいう。）が照明制御装置７により統合制御される。
例としては、Ａ０１〜Ａ０４及びＢ０１〜Ｂ０２の６台の照明装置１は１８時になると一斉に消灯し、Ｃ０１〜Ｃ０３及びＤ０１〜Ｄ０３の照明装置１が２０時になると徐々に暗くなり始め３０分後に消灯する等である。
照明装置１は通信ユニット５２を有し、当該通信ユニット５２を介して他の照明装置１や照明制御装置７と通信可能なネットワークが構築される。
【００１１】
一例である照明装置１は例えば天井等の被取付面に取り付けられる長尺状のＬＥＤベースライトである。照明装置１は、図２及び図３に示すように、被取付面に取り付けられる器具３と、器具３に着脱自在に装着される灯具５とを備える。
照明装置１において光を出射する側を表側とし、単に「表側」とすることもある。照明装置１において被設置面が存在する側を裏側とし、単に「表側」とすることもある。長尺状の照明装置１の長手方向を単に「長手方向」とすることもあり、照明装置１の短手方向を単に「短手方向」とすることもある。
【００１２】
２．器具
主に、図２〜図４を用いて説明する。
器具３は例えば吊りボルト等（図示省略）により被取付面に固定される。
器具３は器具側ベース３０と器具側端部カバー３２とを備える。器具３は灯具５に商用電源を供給するための端子台３４を器具側ベース３０の表面に備える。器具３は灯具５を着脱自在に装着するための一対の器具側装着具３６を備える。ここでは器具側装着具３６は長手方向に間隔を置いて設けられている。
【００１３】
器具側ベース３０は、例えば一枚の金属板を湾曲させてなり、図３に示すように、灯具５の裏側部分を収容する凹入部３０１を有する。凹入部３０１は、横断面において、表側が開放する「コ」字状をしている。器具側ベース３０は裏側拡がりに延伸する傾斜板部３０３を凹入部３０１の表側の両端に有している。
凹入部３０１の裏板３０５には上述の端子台３４や一対の器具側装着具３６が設けられている。裏板３０５には、吊りボルトや電源側ケーブル用の貫通孔３０７や、端子台３４や器具側装着具３６を固定するための貫通孔等が複数個設けられている。凹入部３０１には器具側端部カバー３２を装着するための貫通孔３０８（図２の（ｂ）参照）等が複数個設けられている。
【００１４】
器具側端部カバー３２は器具側ベース３０の長手方向の端部を塞ぐ平板部３２１と、器具側ベース３０の端部の内周面に当接する当接部３２３とを有する。器具側端部カバー３２は器具側ベース３０の凹入部３０１の貫通孔３０８に係合する係合片３２５を有している。
器具側端部カバー３２は、器具側ベース３０の端部に当接部３２３が嵌合する状態で係合片３２５が裏板３０５の貫通孔３０８に係合することで、器具側ベース３０に取り付けられる。
【００１５】
３．灯具５
（１）全体
図６及び図７を用いて説明する。
灯具５は、少なくとも、発光素子の一例であるＬＥＤ素子５０３を光源とする光源ユニット５０と、光源ユニット５０の点灯を制御する点灯回路ユニット５１と、照明制御装置７との通信を行う通信ユニット５２と、光源ユニット５０、点灯回路ユニット５１及び通信ユニット５２を搭載する灯具側ベース５５１とを備える。
灯具５は光源ユニット５０を収容するための筐体５５を備える。ここで、灯具側ベース５５１は、器具側ベース３０と区別するために「灯具側」が付されており、本発明の「ベース」の一例に相当する。なお、灯具側ベース５５１は筐体５５を構成する１部材である。
灯具５は自装置（具体的には灯具側ベース５５１である）を器具３に取り付けるための取付具５９１を備える。灯具５は光源ユニット５０から発せられた光を反射させる第１反射シート５８１及び第２反射シート５８３を備える。
以下、各部について説明する。
【００１６】
（２）光源ユニット
主に図６及び図７を用いて説明する。
光源ユニット５０はＬＥＤ基板５０１と複数個のＬＥＤ素子５０３とを備える。ＬＥＤ基板５０１は器具３の長手方向に細長い矩形状をしている。
ＬＥＤ素子５０３は一例として２列で長手方向に沿って配されている。つまり、ＬＥＤ基板５０１の短手方向に間隔をおいて配された２個のＬＥＤ素子５０３を一組として、長手方向に間隔をおいて複数組配されている。
ここでは、灯具５が長尺状であるため、２個の光源ユニット５０が長手方向に配されている。なお、２個の光源ユニット５０は接続ケーブル５０５により接続されている。
２つのＬＥＤ基板５０１には１対の給電ケーブル５０７が接続されている。給電ケーブル５０７及び接続ケーブル５０５はケーブル押さえ具５０８により支持されている。
光源ユニット５０の表面にはＬＥＤ素子５０３を除いてＬＥＤ基板５０１を覆う第２反射シート５８３が設けられている。第２反射シート５８３は光源ユニット５０に沿って細長い矩形状をし、ＬＥＤ素子５０３に対応して貫通孔５８３ａが設けられている。なお、第２反射シート５８３も長手方向に２枚設けられている。
【００１７】
（３）点灯回路ユニット
主に図９及び図１０を用いて説明する。
点灯回路ユニット５１は、商用電源から受電した電力から点灯電力を生成して、光源ユニット５０に供給する。
点灯回路ユニット５１は、図１０に示すように、点灯電力を生成する点灯電力生成部５１０と、照明制御装置７から指示された点灯情報の点灯電力を点灯電力生成部５１０に生成させる点灯制御部５１１と、点灯情報等を記憶する記憶部５１２を備える。
点灯電力は、照明制御装置７から受信した制御信号に含まれた点灯情報や記憶部５１２に記憶された点灯情報に基づいて生成される。なお、受信した制御信号を「受信信号」ともいい、光源ユニット５０の点灯情報が含まれた受信信号を点灯信号とする。
点灯回路ユニット５１は、点灯電力生成部５１０や点灯制御部５１１や記憶部５１２を構成するための複数個の電子部品５１３と、複数個の電子部品５１３が実装される回路基板５１４とを備える。なお、図９では複数個の電子部品５１３を１つのブロックとして記載している。
【００１８】
点灯電力生成部５１０は、例えばＰＷＭ制御を用いて、光源ユニット５０を点灯（消灯）させたり、デューティ比を調整することで光源ユニット５０を調光点灯させたりする。なお、デューティ比の調整は点灯制御部５１１により行われる。
点灯制御部５１１は、ＣＰＵ、ＲＡＭ、ＲＯＭ等を備えたマイクロコンピュータで構成されている。点灯制御部５１１は、ＣＰＵがＲＯＭに格納されたプログラムやデータに基づいて点灯に関する制御を行ったり、照明制御装置７から通信ユニット５２を介して受信した点灯情報を不揮発性の記憶部５１２に記憶したりする。
【００１９】
点灯回路ユニット５１は筐体５５の裏面側に配されている。回路基板５１４は筐体５５に対して離間する状態で支持固定具５１５により筐体５５（灯具側ベース５５１）に固定されている。
複数個の電子部品５１３は回路ケース５１６により保護されている。点灯回路ユニット５１は、筐体５５の灯具側ベース５５１及び回路ケース５１６が金属製であるため、灯具側ベース５５１と回路基板５１４との間及び回路ケース５１６と電子部品５１３との間に絶縁シート５１７を備える。なお、図６では回路基板５１４が分かるように絶縁シート５１７の図示は省略している。
点灯回路ユニット５１は、回路基板５１４と商用電源側（端子台３４）と接続する中継ケーブル用のコネクタ５１８と、回路基板５１４と通信ユニット５２とを接続するハーネス５１９用のコネクタ（図示省略）と、回路基板５１４と光源ユニット５０とを接続する給電ケーブル５０７用のコネクタ（図示省略）とを回路基板５１４に備える。なお、点灯回路ユニット５１と通信ユニット５２とはハーネス５１９で接続する必要があるため近接して配置することが望ましい。
【００２０】
（４）通信ユニット
主に図１０〜図１４を用いて説明する。
通信ユニット５２は、光源ユニット５０を搭載する灯具側ベース５５１を表側から投影状態（灯具側ベース５５１を透明にした状態）で見た際に、光源ユニット５０と少なくとも一部が重ならない状態で、灯具側ベース５５１に装着されている。
通信ユニット５２は、図１０に示すように、無線通信部５２１、通信制御部５２２、記憶デバイス５２３等を備える。無線通信部５２１は照明制御装置７（側）と通信する。記憶デバイス５２３は自装置の識別情報等を格納する。ここでの識別情報は、図１に示す「Ａ０１」、「Ｄ０１」等の個体識別情報である。
通信制御部５２２は、無線通信部５２１が受信した受信信号が自装置に関するものである場合に受信信号に含まれる点灯情報を点灯回路ユニット５１に伝達し、受信信号が他装置に関するものである場合に受信信号を点灯回路ユニット５１に伝達しないように制御する。なお、受信信号が自装置に関するものであるか否かは、記憶デバイス５２３に格納された識別情報との照合により行う。
【００２１】
（４−１）回路系
通信ユニット５２は、図１２及び図１３に示すように、通信モジュール５２８を通信ボックス５２９内に備える。通信モジュール５２８は、無線通信部５２１及び通信制御部５２２を構成する複数個の電子部品５２４と、記憶デバイス５２３を装着するためのスロット５２５と、点灯回路ユニット５１にハーネス５１９を介して接続するためのコネクタ５２６とを通信基板５２７に実装してなる。なお、複数個の電子部品５２４は図１３では１つのブロック状で示している。また、記憶デバイス５２３をケース５３７内に収容したものをドングル５３３とする。
【００２２】
ドングル５３３は灯具５から着脱可能であるため、灯具５を交換する必要が生じた場合でも、例えば、灯具５のみを交換し、新たな灯具５にドングル５３３を挿入することにより個体識別情報の書き込み等をすることなく交換前と同様に通信制御が可能となる。灯具５の交換としては、例えば、調色機能のない灯具から調色機能のある灯具への交換や、昼光色の灯具から昼白色の灯具への交換等がある。
通信制御部５２２は、ＣＰＵ、ＲＡＭ、ＲＯＭ等を備えたマイクロコンピュータで構成されている。通信制御部５２２は、ＣＰＵがＲＯＭに格納されたプログラムやデータに基づいて、受信信号を照合したり、記憶デバイス５２３に対して識別情報の書き換えを行ったり、受信信号に含まれている点灯情報を点灯制御部５１１に伝達したりする。
【００２３】
（４−２）通信ボックス
通信ボックス５２９は、図１２〜図１４に示すように、表裏に２分された部材を組み合わせることで内部に収容空間５２９ａを形成する。通信ボックス５２９は表側に位置する表ボックス５３１と、裏側に位置する裏ボックス５３２とを有する。図１４において、収容空間５２９ａを示す引き出し線を、コネクタ延伸部５３２ｆの引き出し線と区別するために、先端を矢印にしている。
【００２４】
（４−２−１）表ボックス
表ボックス５３１は、灯具側ベース５５１の裏面に配される底壁部５３１ａと、底壁部５３１ａの周縁から表側に延伸する外周壁部５３１ｂと、底壁部５３１ａにおける外周壁部５３１ｂよりも内側から表側に延伸する内周壁部５３１ｃとを備える。
図１４に示すように、通信モジュール５２８は内周壁部５３１ｃの内側に配される。内周壁部５３１ｃと外周壁部５３１ｂとの間の溝部分に裏ボックス５３２の周壁部５３２ｂが挿入される（嵌合する）。
表ボックス５３１は、灯具側ベース５５１に装着するための装着部５３１ｄを複数個有している。表ボックス５３１の装着は、固定具の一例であるねじ体５７１（図６参照）を利用しており、装着部５３１ｄは外周壁部５３１ｂの外面側に設けられた円柱部５３１ｅに形成されたねじ孔５３１ｆにより構成されている。
【００２５】
表ボックス５３１は、表側から見ると矩形状をしている。表ボックス５３１はその長手方向が灯具５の長手方向に沿うように装着される。装着部５３１ｄは、表ボックス５３１の長手方向の両端であって短手方向に間隔をおいて複数個、ここでは３個設けられている。これにより、通信ボックス５２９を灯具側ベース５５１に対して位置調整可能（変動可能）に装着することができる。このため、例えば、光源ユニット５０を搭載する灯具側ベース５５１を表側から投影状態で見た際に、通信モジュール５２８のアンテナが光源ユニット５０と重ならないように、通信ユニット５２を灯具側ベース５５１に装着できる。
表ボックス５３１は通信モジュール５２８を位置規制する凸条の縦リブ部５３１ｇを内周壁部５３１ｃに有する。表ボックス５３１は通信モジュール５２８を底壁部５３１ａから裏側に離間して支持するための位置規制する凸条の横リブ部５３１ｈを底壁部５３１ａに有する。これにより、光源ユニット５０の発光時の熱の影響を受け難くできる。
【００２６】
（４−２−２）裏ボックス
裏ボックス５３２は、表ボックス５３１内に配された通信モジュール５２８を覆うように、表ボックス５３１に装着される。裏ボックス５３２は、蓋壁部５３２ａと、蓋壁部５３２ａの外周縁から表側に延伸する周壁部５３２ｂとを有する。
裏ボックス５３２は記憶デバイス５２３を収容するドングル５３３用の貫通孔５３２ｃを有する。これにより、ドングル５３３内の記憶デバイス５２３を通信モジュール５２８のスロット５２５に接続できる。なお、貫通孔５３２ｃの形状はドングル５３３の外周形状に対応している。また、図１２及び図１３において、貫通孔５３２ｃの引き出し線の先端を矢印とし、後述の内延伸板部５３２ｅの引き出し線と区別する。
裏ボックス５３２は貫通孔５３２ｃの開口縁から裏側に延伸する外延伸板部５３２ｄを有する。外延伸板部５３２ｄは貫通孔５３２ｃに挿入されたドングル５３３よりも裏側に長く延伸している。これにより、灯具５を器具３に取り付ける際にドングル５３３が裏板３０５と接触することがなく、貫通孔５３２ｃに挿入されているドングル５３３を保護できる。
裏ボックス５３２は貫通孔５３２ｃの開口縁から表側に延伸する内延伸板部５３２ｅを有する。これにより、ドングル５３３を貫通孔５３２ｃに挿入する際に、記憶デバイス５２３がスロット５２５に接続されるように案内される。
【００２７】
裏ボックス５３２は蓋壁部５３２ａから通信モジュール５２８のコネクタ５２６に沿って表側に延伸するコネクタ延伸部５３２ｆを有する（図１２参照）。裏ボックス５３２は周壁部５３２ｂであって通信モジュール５２８のコネクタ５２６に対向する部分に欠け部５３２ｇを有する。これにより、コネクタ５２６に接続されたハーネス５１９が電子部品５２４側に回り込むのを防止できる。
【００２８】
裏ボックス５３２は通信モジュール５２８を位置規制する位置規制部を有する。ここでの位置規制部は柱状のリブ部５３２ｈにより構成される。
表ボックス５３１及び裏ボックス５３２は互いに結合させるための結合部を有している。ここでの結合は係合構造を利用している。表ボックス５３１の外周壁部５３１ｂの貫通孔５３１ｉに、裏ボックス５３２の延伸片５３２ｉの凸部分５３２ｊが係合する。なお、係合関係は逆であってもよい。
裏ボックス５３２は延伸片５３２ｉの両側に延伸方向の溝５３２ｐを有している。これにより、延伸片５３２ｉをその厚み方向へ弾性変形可能とする。凸部分５３２ｊの外面は、延伸片５３２ｉの延伸先端から離れるにしたがって突出量が徐々に多くなる傾斜面となっている。これにより、裏ボックス５３２の表ボックス５３１への結合がスムーズに行える。
【００２９】
（４−３）記憶デバイス
記憶デバイス５２３は、記憶素子５３４とコネクタ５３５とを記憶基板５３６に実装してなる。記憶デバイス５２３はケース５３７内に収容された、所謂ドングルタイプである。ケース５３７は、外周形状が裏ボックス５３２の貫通孔５３２ｃの形状や外延伸板部５３２ｄの内周形状や内延伸板部５３２ｅの内周形状に対応している。
ケース５３７は、記憶デバイス５２３を固定する固定台５３８と、固定台５３８に固定された記憶デバイス５２３を覆う蓋体５３９とから構成される。
【００３０】
固定台５３８は裏側が開放する深底の箱状をしている。固定台５３８は、図１２に示すように、底部５３８ａにコネクタ５３５が嵌合する貫通孔５３８ｂを有している。固定台５３８は、周壁部５３８ｃの内周面に記憶基板５３６が挿入される溝５３８ｄを対向して一対有する。
【００３１】
蓋体５３９は箱状をし、記憶デバイス５２３における固定台５３８から露出する部分を覆う。蓋体５３９の横断面形状は矩形状に似た形状をしている。
固定台５３８及び蓋体５３９は互いに結合させるための結合部を有している。ここでの結合は係合構造を利用している。蓋体５３９は、表側に延伸する延伸片５３９ｂと、延伸片５３９ｂに設けられた凸部５３９ｃとを有し、凸部５３９ｃが固定台５３８の周壁部５３８ｃの段差部５３８ｅに係合する。なお、係合関係は逆であってもよい。
【００３２】
蓋体５３９は裏ボックス５３２の貫通孔５３２ｃの外方へと張り出す張出部５３９ｄを有している。張出部５３９ｄはドングル５３３を通信ボックス５２９の貫通孔５３２ｃに挿入した際に、記憶デバイス５２３のコネクタ５３５が通信モジュール５２８のスロット５２５に接続された後に、裏ボックス５３２の貫通孔５３２ｃの周辺部５３２ｋに当接する。これにより、ドングル５３３の通信ボックス５２９への押し込みすぎを防止できる。
【００３３】
ドングル５３３は、通信ボックス５２９の貫通孔５３２ｃに挿入された状態で、通信ボックス５２９から外れるのを防止する外れ防止部をケース５３７に有している。固定台５３８は、図１４に示すように、周壁部５３８ｃにおける底部５３８ａ側に厚肉部５３８ｈを有している。厚肉部５３８ｈは、周壁部５３８ｃにおける底部５３８ａと反対側に形成された凹入部５３８ｉにより構成される。凹入部５３８ｉには裏ボックス５３２の内延伸板部５３２ｅの凸部分５３２ｎが嵌る。これにより、ドングル５３３が通信ボックス５２９から抜け（外れ）ようとすると、ドングル５３３の厚肉部５３８ｈが通信ボックス５２９の凸部分５３２ｎと係合する。
【００３４】
（５）筐体
主に、図５〜図９を用いて説明する。
筐体５５は器具３の長手方向に長い箱状をしている。筐体５５は、２個の光源ユニット５０を長手方向に沿って搭載する灯具側ベース５５１と、光源ユニット５０を表側から覆う透光性カバー５５２と、灯具側ベース５５１と透光性カバー５５２の長手方向の端部を覆う発光側端部カバー５５３とを備える。
灯具側ベース５５１は、図８に示すように、光源ユニット５０が配されるモジュール搭載部（５５５）と、透光性カバー５５２を装着する透光性カバー装着部（５５９）とを有する。
灯具側ベース５５１は、平板部分５５５の両端から一対の延伸板部５５６が表側に延伸してなるコ字状部５５７と、コ字状部５５７の表側両端から表拡がり（前拡がり）に延伸した後に裏側に屈曲する「Ｖ」字状をするＶ字状部５５９とを有する。
灯具側ベース５５１は１枚の金属板をプレス加工してなる。Ｖ字状部５５９におけるコ字状部５５７と反対側端部は表側に折り返された折返し部５５９ａとなっている。
【００３５】
光源ユニット５０は、平板部分５５５の表面に配された状態で、モジュール第１固定具５９３とモジュール第２固定具５９５とにより支持される。
モジュール第１固定具５９３の係止片５９３ａは、図３に示すように、平板部分５５５の貫通孔５５５ａ（図６及び図７参照）を貫通してＬＥＤ基板５０１の端部を係止する。
モジュール第２固定具５９５の係止片５９５ａは、図８に示すように、平板部分５５５の貫通孔５５５ｂ（図６及び図７参照）を挿通して２個のＬＥＤ基板５０１の端部を係止する。モジュール第２固定具５９５は、図８に示すように、灯具側ベース５５１の裏面に配された平板部５９５ｂと、一対の係止片５９５ａと、給電ケーブル５０７を覆うカバー部５９５ｃとを有する。
なお、灯具側ベース５５１と光源ユニット５０との間には第１反射シート５８１が配されている。第１反射シート５８１は絶縁性を有している。第１反射シート５８１はモジュール第１固定具５９３の係止片５９３ａ用の貫通孔５８１ａを有する（図６及び図７参照）。
【００３６】
灯具側ベース５５１は通信ユニット５２を装着するための装着部５５５ｃを有している。ここでの装着は固定具の一例であるねじ体５７１を利用して行われる。このため、灯具側ベース５５１はねじ体５７１用の貫通孔５５５ｃを平板部分５５５に有する。なお、ねじ体５７１のねじ部は、表側から貫通孔５５５ｃを挿通して、裏側の通信ユニット５２の装着部５３１ｄのねじ孔５３１ｆに螺合する。また、ねじ体５７１用の貫通孔の符号も「５７１」としている。
灯具側ベース５５１は、金属製であり、通信ユニット５２の通信感度を向上させるための感度向上部を有している。ここでの感度向上部は貫通孔５５５ｄにより構成される。貫通孔５５５ｄは通信ユニット５２の無線通信部５２１のアンテナに対応して設けられている。なお、貫通孔５５５ｄは、図１５に示すように、光源ユニット５０が搭載されていない領域に設けられている。
【００３７】
透光性カバー５５２は、光源ユニット５０と対向して配され且つ裏側拡がりの「コ」字をしている。裏側に延伸する延伸部５６１には、図８に示すように、灯具側ベース５５１のＶ字状部５５９（正確には、「Ｖ」字に折り返された部分の周辺と折り返された部分であってコ字状部５５７から離れた側とである。）と嵌合するための嵌合片５６１ａが設けられている。なお、透光性カバー５５２は灯具側ベース５５１に固定具（ねじ体）５７３により固定される。
【００３８】
発光側端部カバー５５３は、灯具側ベース５５１に透光性カバー５５２が取付けられた状態で、両者の端部を覆う板状部５６２と、板状部５６２の周縁から立設して灯具側ベース５５１と透光性カバー５５２の内周面や外周面に当接する立設部５６３とを有する。
【００３９】
（６）取付具
主に図４〜図７を用いて説明する。
取付具５９１は、図５に示すように、灯具側ベース５５１に固定具（ねじ体）５９４を介して固定される一対の固定板部５９１ａと、固定板部５９１ａから裏側に立設する立設板部５９１ｂと、一対の立設板部５９１ｂを連結する連結板部５９１ｃとを有する。
取付具５９１の連結板部５９１ｃと灯具側ベース５５１との間に図４に示す器具３の器具側装着具３６の係合ばね３６１が長手方向の内側から挿入されて係合する。これにより、灯具５が器具３に固定（支持）される。
【００４０】
４．照明制御装置
照明制御装置７は、ここでは、壁に埋設された操作装置（リモートコントローラ）であり、点灯情報等を表示する表示部と、点灯情報等を操作入力する入力部と、操作入力された情報を照明装置１に送信するための送信部と、種々の条件やデータ等を記憶する記憶部と、表示部、入力部、送信部及び記憶部等を制御する制御部とを備える。なお、制御部はＣＰＵ等を備えるマイクロコンピュータにより構成されている。
【００４１】
５．通信ネットワーク
図１に示すように、照明システム８は複数台の照明装置１と一つの照明制御装置７とを有する。照明システム８の通信ネットワークは、通信ネットワーク内の各装置の接続関係が固定された固定型のネットワークでもよく、各装置の接続関係が適宜変更される適応型のネットワークでもよい。
適応型のネットワークでは、各照明装置１は、他の照明装置１又は照明制御装置７との通信品質を常時評価し、自動的なルーティングにより通信品質が最も良い相手に自動的に接続する。これにより、通信ネットワークでの環境の変化や照明装置１の故障が生じても、通信ネットワークでの通信品質が常時最適に維持される。
【００４２】
照明システム８の通信ネットワークにおいて、照明制御装置７からの制御信号は目的の照明装置１まで直接又は間接的に伝送される。例えば、両者の間の物理的距離が近く且つその間に壁などの障害物がない場合、照明制御装置７からの制御信号は、直接、目的の照明装置１に伝送される。両者の間の物理的距離が遠い場合、又は、物理的距離が近く且つその間に障害物がある場合、照明制御装置７からの制御信号は、一つ又は複数の照明装置１を中継して目的の照明装置１に伝送される。制御信号の中継を利用することで、照明システム８を大規模な施設又は障害物の多い施設に適用することができる。
【００４３】
照明システム８の通信プロトコルは、既存のプロトコルでもよく、独自に開発されたプロトコルでもよい。既存のプロトコルとしては、例えば、Ｂｌｕｅｔｏｏｔｈ（登録商標）、ＺｉｇＢｅｅ（登録商標）、ＷｉＦｉ（登録商標）、ＡＮＴ（登録商標）、Ｗｉ−ＳＵＮ（登録商標）、Ｚ−ｗａｖｅ（登録商標）、ＷｉｒｅｌｅｓｓＨＡＲＴ（登録商標）、ＥｎＯｃｅａｎ（登録商標）を利用できる。
さらに、無線通信の耐障害性を高めるため、周波数ホッピングを実装した通信プロトコルを採用してもよい。周波数ホッピングは、短い所定の単位時間ごとに制御信号を送信する周波数を変更する方式で、次々に送信周波数を変更するため特定の周波数でノイズが発生した場合でも他の周波数で通信したデータによって訂正可能にする方式である。一例として、事前に周波数ホッピングを用いて、多数の周波数で通信を行い、各周波数チャネルの通信品質を取得し、その後にノイズの少ない周波数チャネルを選択して通信を行うことが好ましい。
【００４４】
なお、無線通信の媒体は、電波に限らず、赤外線又は可視光線のような光でもよい。
照明制御装置７は、無線通信部を内部に備えてもよいし、外部に備えてもよい。外部に備える例として、ルータ等の外部中継装置に有線で接続する場合等がある。
【００４５】
６．通信制御部の動作
通信ユニット５２における通信制御部５２２が制御信号を受信した際の動作の一例について図１６を用いて簡単に説明する。
通信制御部５２２は、無線通信部５２１から制御信号を受信すると、通信制御用のプログラムをスタートする。
ステップＳ１において、受信信号が自装置に関するものか、別装置に関するものかを判定する。判定は、記憶デバイス５２３に記憶されている自己の識別情報と、受信信号内に含まれる識別情報との比較で行う。
【００４６】
ステップＳ１において、受信信号が自装置に関するものである場合（「Ｙｅｓ」である。）、受信信号が点灯信号であるか否かを判定する（Ｓ２）。本例では、照明制御装置７から送信される制御情報は、点灯時刻、消灯時刻、調光タイミング等の点灯情報に関する点灯信号と、記憶デバイス５２３に記憶されている識別情報に関する識別信号との２種類である。
【００４７】
受信信号が点灯情報に関する点灯信号の場合（Ｓ２において「Ｙｅｓ」である。）、点灯情報を点灯回路ユニット５１の点灯制御部５１１に伝達する（Ｓ３）。これを受けて、点灯制御部５１１は新たな点灯情報を記憶部５１２に記憶し、当該点灯情報に合った点灯電力を点灯電力生成部５１０に生成させる。
受信信号が点灯信号でない場合、つまり、受信信号が識別信号の場合（Ｓ２）において「Ｎｏ」である。）、記憶デバイス５２３の識別情報を新たな識別情報に書き換える（Ｓ４）。なお、ステップＳ３又はステップＳ４を終えると、今回受信した制御信号に対する処理が終了（ＥＮＤ）し、次回の受信まで待機する。
【００４８】
７．通信ユニットの取り付けについて
通信ユニット５２は、上述の通り、灯具側ベース５５１への装着部５３１ｄを複数個有している。これにより、光源ユニット５０におけるＬＥＤ基板５０１の配置位置に対応して通信ユニット５２を装着することができる。なお、配置位置に対応して装着できるため、１つの通信ユニット５２を複数種類の灯具５に共通して利用できる。
以下、図１７を用いて、光源ユニットの配置・仕様等の種類の異なる灯具への通信ユニット５２の装着について説明する。なお、通信ユニット５２の３つの装着部を、図１５に示すように、ドングル５３３が位置する側から、第１装着部５３１Ａ、第２装着部５３１Ｂ、第３装着部５３１Ｃとする。
長手方向に間隔を置いて設けられた一対の第３装着部５３１Ｃを結ぶ仮想線上又は仮想線近傍に無線通信部５２１のアンテナが存在する。
【００４９】
（１）中央にＬＥＤ素子が２列配置されている場合（実施形態である。）
図１７の（ａ）に示すように、長尺の１枚のＬＥＤ基板５０１Ｘ上にＬＥＤ素子５０３Ｘが２列に配されている。ＬＥＤ基板５０１Ｘは灯具側ベース５５１Ｘの短手方向の略中央に配されている。灯具側ベース５５１Ｘは、表側から見たときに（図１７の（ａ）である。）ＬＥＤ基板５０１Ｘが載置（存在）していない領域にアンテナ用の貫通孔５５５Ｘが設けられ、当該貫通孔５５５Ｘを長手方向に通る仮想線分上に装着用の貫通孔が設けられている。
この場合、通信ユニット５２のアンテナを通る仮想線上に位置する第３装着部５３１Ｃが装着用の貫通孔を挿通するねじ体５７１により灯具側ベース５５１Ｘに固定される。
【００５０】
（２）中央を外してＬＥＤ素子が２列配置されている場合
図１７の（ｂ）に示すように、長尺の２枚一対のＬＥＤ基板５０１Ｙ上にＬＥＤ素子５０３Ｙが１列に配されている。一対のＬＥＤ基板５０１Ｙは灯具側ベース５５１Ｙの短手方向に間隔を置いて並列に配されている。なお、ここでの間隔は、表側から投射すると、２枚のＬＥＤ基板５０１Ｙ間に通信ユニット５２のアンテナが重ならないように配することができる距離である。
灯具側ベース５５１Ｙは、一対のＬＥＤ基板５０１Ｙの間であって一方のＬＥＤ基板５０１Ｙに近い側にアンテナ用の貫通孔５５５Ｙがあり、貫通孔５５５Ｙより他方のＬＥＤ基板５０１Ｙに近い位置に装着用の貫通孔が設けられている。
この場合、通信ユニット５２のアンテナを通る仮想線から少し短手方向に外れて位置する第２装着部５３１Ｂが装着用の貫通孔を挿通するねじ体５７１により灯具側ベース５５１Ｙに固定される。
【００５１】
（３）中央にＬＥＤ素子が１列配置されている場合
図１７の（ｃ）に示すように、長尺の１枚のＬＥＤ基板５０１Ｚ上にＬＥＤ素子５０３Ｚが１列で配されている。１枚のＬＥＤ基板５０１Ｚは灯具側ベース５５１Ｚの短手方向の略中央に配されている。
灯具側ベース５５１Ｚは、ＬＥＤ基板５０１Ｚを短手方向に跨いで、アンテナ用の貫通孔５５５Ｚと装着用の貫通孔とを有している。
この場合、通信ユニット５２のアンテナを通る仮想線から最も離れて位置する第１装着部５３１Ａが装着用の貫通孔を挿通するねじ体５７１により灯具側ベース５５１Ｚに固定される。
以上、説明したように通信ユニット５２が複数の装着部５３１ｄを有しているため、上記（１）〜（３）のいずれの場合においても、無線通信の妨げとなるＬＥＤ基板を避けた位置にアンテナが配置されるよう通信ユニット５２を装着することができる。
【００５２】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５３】
＜変形例＞
１．照明装置及び照明システム
実施形態の照明装置１は器具３と灯具５とを別構造で備えていたが、照明装置は、例えば、器具に光源ユニット等を直接設けた装置であってもよいし、従来の蛍光灯やＬＥＤランプのような光源を着脱自在に装着する装置であってもよい。
【００５４】
実施形態では、図１に示すようなオフィスの一フロアを想定して、ブロックごとに点灯情報を変更するようにしている。しかしながら、照明システムは、複数階のフロア用であってもよいし、一フロア内の複数の会議室や事務室用であってもよい。
実施形態の照明システムはオフィスの一フロアを想定している。このため、オフィスで多く採用されている長尺状のベースライトである照明装置について説明している。しかしながら、照明システムは、例えば、大型店舗用であってもよいし、一般住宅用であってもよい。一般住宅用の場合、各部屋の照装装置は、ベースタイプ、ペンダントタイプ、シーリングタイプ等を含んでもよい。つまり、複数台の照明装置は、すべて同じタイプのものであってもよいし、異なるタイプであってもよい。
光源ユニット５０は光源としてＬＥＤ素子５０３を備えているが、例えば、有機ＥＬ素子やＬＤ素子等を光源として備えてもよい。光源ユニット５０はＬＥＤ基板５０１を備えているが、例えば、複数枚の導電片をＬＥＤ素子で電気的に接続して光源ユニットを構成してもよい。
【００５５】
２．照明制御装置
実施形態の照明制御装置７は照明装置専用の制御装置（リモートコントローラ）であったが、例えば、照明制御装置として、パーソナルコンピュータ、スマートフォン及びタブレット等を利用することもできる。また、照明装置１に対する各種の設定及び操作は、専用のアプリケーションや一般的なウェブブラウザで行ってもよい。
【００５６】
３．灯具
（１）構造
実施形態の灯具５は、灯具側ベース５５１、透光性カバー５５２及び発光側端部カバー５５３とからなる筐体５５を備えているが、灯具（照明装置）は、光源ユニット５０と点灯回路ユニット５１と通信ユニット５２とを搭載するベースを少なくとも有していればよく、その構造・形状は特に限定するものではない。ただし、発光素子としてＬＥＤ素子を用いた場合、グレアや光源ユニットの電気的安全性を考慮すると、透光性カバーを備える方が好ましい。
なお、光源ユニット５０と点灯回路ユニット５１と通信ユニット５２とを搭載するベースは、器具側ベースと区別するために灯具側ベース５５１としているが、当該ベースが本発明の「ベース」の一例に相当する。
【００５７】
（２）材質
実施形態では、金属製の灯具側ベース５５１を利用し、通信ユニット５２の通信感度を高めるための感度向上部として貫通孔５５５ｄをアンテナ位置に合せて設けている。しかしながら、例えば灯具側ベースとして、樹脂材料を利用したり、補強用の金属板と一体に成形された樹脂材料等を利用する場合、アンテナ位置に金属材料が存在しないときは感度向上部を設けなくてもよい。
【００５８】
（３）アンテナ用貫通孔
実施形態では、感度向上部として貫通孔５５５ｄを灯具側ベース５５１に有しているが、例えば、アンテナ位置に合わせて凹みを設けてもよい。凹みにより金属板の厚みが薄くなり電波が通り易くできる。
実施形態の感度向上部の一例である貫通孔５５５ｄは矩形状をしているが、例えば、楕円や長円等の形状であってもよい。感度を考慮すると、表側から見たとき貫通孔にアンテナの投影領域が含まれるような形状・大きさが好ましい。
４．通信ユニット
（１）ボックス
実施形態の通信ボックス５２９は表ボックス５３１と裏ボックス５３２との２部材により構成されていたが、通信ボックスは３つ以上の部材により構成されてもよい。例えば、通信ボックスは、灯具側ベースに装着位置を変動自在に装着される装着部と、装着部に取り付けられ且つ通信モジュールが取り付けられる通信モジュール取付部と、通信取付部に取り付けられ且つ通信モジュールを覆う被覆部との３部材から構成されてもよい。
【００５９】
通信ボックス５２９は内部に通信モジュール５２８を収容している。しかしながら通信ボックスは、通信モジュールを保持し且つ灯具側ベースに装着されるような構造であればよい。例えば、通信ボックスは、裏ボックス５３２のような構造を有し、通信モジュール５２８（通信基板５２７）を固定（係止）するモジュール固定部と、灯具側ベースに装着位置変更自在に装着するための装着部とを有する構造であってもよい。ここでの装着部として、例えば、表ボックス５３１に設けられている装着部５３１ｄを利用できる。
【００６０】
実施形態の通信ボックス５２９は、アンテナの感度を向上させるための感度向上部を有していないが、例えば、アンテナ位置に対応して貫通孔や凹み等から構成される感度向上部を例えば表ボックスに有してもよい。
実施形態の表ボックス５３１の表面は平坦状をしているが、例えば、灯具側ベース５５１の貫通孔５５５ｄに嵌合する嵌合部を有してもよい。なお、嵌合部としては、例えば矩形状の貫通孔に対応して矩形環状に表側に突出する突条部分により構成できる。
【００６１】
（２）通信モジュール
実施形態では、通信ユニット５２と点灯回路ユニット５１との接続をハーネス５１９で行っている。両者間の通信方法は、特に限定するものではなく、例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）回路、ＵＡＲ回路、Ｉ２Ｃ（登録商標）等の通信回路を用いてもよい。
また、通信は、通信目的に合わせて、単向通信、半二重通信、全二重通信等適宜使用できる。通信は、有線であってもよいし、無線であってもよい。
【００６２】
（３）記憶デバイス
実施形態では、記憶デバイス５２３をドングル５３３の形態で備えているが、記憶デバイス５２３の機能を通信モジュールに組み込んで一体化したものであってもよい。
実施形態では、記憶基板５３６の主面が表裏方向と平行となるように通信基板５２７のスロット５２５に着脱自在に取り付けられているが、記憶基板５３６の主面が通信基板５２７の主面と平行となるようにスロットに着脱自在に取り付けるようにしてもよい。
実施形態では、記憶デバイス５２３をドングル５３３の形態で備えているが、例えば、記憶デバイス５２３を通信モジュール５２８に着脱自在に取り付けた状態で、裏ボックスを表ボックスに装着するように構成してもよい。
【００６３】
（４）アンテナ
実施形態ではアンテナを通信ボックス５２９内に備えていたが、例えば、通信ボックスの外部に備え、ハーネス等により通信モジュールと接続してもよい。また、アンテナは、１個でなく、複数個設けてもよい。さらに、アンテナは、透光性カバーにおける光源ユニットからの光を遮らない部位に埋め込まれてもよい。
（５）識別情報
実施形態の識別情報は、自装置を他装置と識別するための個体識別情報であったが、例えば、自装置が設けられているブロック名、ブロック番号、部屋名、会議室名等のグループ識別情報を追加して記憶してもよいし、固体識別情報の代わりに記憶してもよい。
また、複数台の照明装置１が複数階に亘って配されている場合、識別情報として、自装置の配されている階数を記憶してもよい。
【００６４】
５．通信ユニットの装着
（１）構造
実施形態では、通信ユニット５２が３組の装着部５３１ｄを備え、灯具側ベース５５１が１組の装着部（貫通孔５５５ｃ）を備え、３組のうちの１組の装着部５３１ｄが１組の装着部（貫通孔５５５ｃ）を利用して装着される。この構成により、通信ユニット５２をその装着位置を変えて灯具側ベース５５１に装着できる。
しかしながら、例えば、灯具側ベースが装着部（貫通孔５５５ｃ）を３組備え、通信ユニットが１組の装着部５３１ｄを備え、３組のうち１組の装着部（貫通孔５５５ｃ）を利用して装着するようにしてもよい。
つまり、光源ユニットと点灯回路ユニットとを搭載するベースに対して、通信ユニットの装着位置を自在に変更可能に装着できる構造であればよく、複数個の装着部を、通信ユニット側に設けてもよいし、灯具側ベース側に設けてもよいし、通信ユニットと灯具側ベースとの両方に設けてもよい。
【００６５】
実施形態では、通信ユニット５２の装着部５３１ｄがねじ孔５３１ｆにより構成され、灯具側ベースの装着部５５５ｃが貫通孔５５５ｃで構成されている。しかしながら、通信ユニットを灯具側ベースに装着できればよく、他の装着機構であってもよい。
他の装着機構としては、通信ユニットの装着部が貫通孔により、灯具側ベースの装着部をねじ孔によりそれぞれ構成し、裏側からネジ部が貫通孔を挿通してねじ孔に螺合させてもよい。
他の装着機構としては、例えば、通信ボックスは、灯具側ベースに当接する当接板部と、当接板部に形成された長孔とを有し、灯具側ベースの装着部である貫通孔と長孔とを挿通するねじ部材のねじ部にナット体を螺合させてもよい。なお、灯具側ベースの装着部の貫通孔をねじ孔として、裏側からネジ部が長孔を挿通してねじ孔に螺合させてもよい。
【００６６】
実施形態の通信ユニット５２の装着部５３１ｄは表ボックス５３１の長手方向の各端部に３個設けられているが、装着部５３１ｄは２個（２組）又は４個（４組）以上設けられてもよい。
実施形態の通信ユニット５２の装着部５３１ｄ及び灯具側ベース５５１の装着部（貫通孔）５５５ｃは長手方向に間隔をおいて複数組設けられているが、例えば、通信ユニットの長手方向の一方の端部が係合構造により短手方向にスライド自在に支持され、長手方向の他方の端部でねじ体等により固定するような構造であってもよい。
【００６７】
（２）装着位置
実施形態では、通信ユニット５２のアンテナが光源ユニットと重ならないように、通信ユニット５２が灯具側ベース５５１に装着されている。これは、光源ユニットを構成するＬＥＤ基板の配線パターンが導電性（金属製）であり、無線通信用の電波への悪影響を少なくするためである。
しかしながら、例えば、通信ユニットのアンテナが外部に露出している場合、通信ユニットのアンテナとＬＥＤ基板との位置関係はさほど考慮しなくてもよい。
【符号の説明】
【００６８】
１      照明装置
７      照明制御装置
８      照明システム
５０      光源ユニット
５１      点灯回路ユニット
５２      通信ユニット
５０３      ＬＥＤ素子（発光素子）
５５１      灯具側ベース（ベース）
５３１ｄ    装着部
【図１】
2018206492.tif 000003
【図２】
2018206492.tif 000004
【図３】
2018206492.tif 000005
【図４】
2018206492.tif 000006
【図５】
2018206492.tif 000007
【図６】
2018206492.tif 000008
【図７】
2018206492.tif 000009
【図８】
2018206492.tif 000010
【図９】
2018206492.tif 000011
【図１０】
2018206492.tif 000012
【図１１】
2018206492.tif 000013
【図１２】
2018206492.tif 000014
【図１３】
2018206492.tif 000015
【図１４】
2018206492.tif 000016
【図１５】
2018206492.tif 000017
【図１６】
2018206492.tif 000018
【図１７】
2018206492.tif 000019